(57)【要約】      （修正有）【課題】小型のデジタルカメラや携帯電話に内蔵されるカメラに利用されるレンズの構成枚数が少なくレンズ全長が短くて性能の優れたズームレンズを提供する。【解決手段】物体側より順に、負の屈折率を有する第１レンズ群と、そして、正の屈折率を有する第２レンズ群との２群のレンズ群又は、物体側より順に、負の屈折率を有する第１レンズ群と、正の屈折率を有する第２レンズ群と、そして、正の屈折率を有する第３レンズ群を備え、前記第２レンズ群及び前記第３レンズ群を移動させることにより変倍を行うズームレンズ、若しくは、前記第１レンズ群及び前記第２レンズ群を移動させることにより変倍を行うズームレンズにおいてペツバル和の適切な条件を満足させる。【選択図】図１
2005300858.tif 000002
【特許請求の範囲】
【請求項１】
物体側より順に、負の屈折率を有する第１レンズ群と、そして、正の屈折率を有する第２レンズ群との２群のレンズ群を備え、前記第１レンズ群及び前記第２レンズ群を移動させることにより変倍を行うズームレンズ、又は、物体側より順に、負の屈折率を有する第１レンズ群と、正の屈折率を有する第２レンズ群と、そして、正の屈折率を有する第３レンズ群を備え、前記第２レンズ群及び前記第３レンズ群を移動させることにより変倍を行うズームレンズ、若しくは、物体側より順に、負の屈折率を有する第１レンズ群と、正の屈折率を有する第２レンズ群と、そして、正の屈折率を有する第３レンズ群を備え、前記第１レンズ群及び前記第２レンズ群を移動させることにより変倍を行うズームレンズであって、
各レンズ群の焦点距離をfi（iは１〜３）とすると、
2005300858.tif 000017
なる条件を満足することを特徴とするズームレンズ。
【請求項２】
請求項１に記載の２群のレンズ群を備えたズームレンズにおいて、
前記第１レンズ群は、凹凸の２枚のレンズを備えて形成されると共に、広角端から望遠端へ変倍移動する際には像側に凸状のＵターンで移動するようにされ、そして、
前記第２レンズ群は、凸凹の２枚のレンズ、又は、凸凹凸の３枚のレンズを備えて形成されると共に、広角端から望遠端へ変倍移動する際には物体側に単調に移動するようにされたことを特徴とするズームレンズ。
【請求項３】
請求項１に記載の３群のレンズ群を備えたズームレンズであって、前記第１レンズ群及び前記第２レンズ群を移動させることにより変倍を行うズームレンズにおいて、
前記第１レンズ群は、凹凸の２枚のレンズを備えて形成されると共に、広角端から望遠端へ変倍移動する際には像側に凸状のＵターンで移動するようにされ、
前記第２レンズ群は、凸凹の２枚のレンズを備えて形成されると共に、広角端から望遠端へ変倍移動する際には物体側に単調に移動するようにされ、そして、
前記第３レンズ群は、凸の１枚のレンズを備えて形成されると共に、固定とされたことを特徴とするズームレンズ。
【請求項４】
請求項１に記載の３群のレンズ群を備えたズームレンズであって、前記第２レンズ群及び前記第３レンズ群を移動させることにより変倍を行うズームレンズにおいて、
前記第１レンズ群は、凹凸の２枚のレンズを備えて形成されると共に、固定とされ、
前記第２レンズ群は、凸凹の２枚のレンズを備えて形成されると共に、広角端から望遠端へ変倍移動する際には物体側に単調に移動するようにされ、そして、
前記第３レンズ群は、凸の１枚のレンズを備えて形成されると共に、広角端から望遠端へ変倍移動する際には物体側に単調に移動するようにされたことを特徴とするズームレンズ。
【請求項５】
請求項２、３、４のいずれか１項に記載のズームレンズにおいて、
前記第１レンズ群を構成する凹凸の２枚のレンズのうち、該凹レンズの少なくとも一面が非球面であることを特徴とするズームレンズ。
【請求項６】
請求項２に記載のズームレンズであって、前記第２レンズ群が凸凹の２枚のレンズを備えて構成されたズームレンズにおいて、
当該第２レンズ群を構成する凸凹の２枚のレンズは貼り合わせレンズよりなると共に、該凸レンズ及び該凹レンズの少なくとも一面が非球面であることを特徴とするズームレンズ。
【請求項７】
請求項３又は４に記載のズームレンズにおいて、
前記第２レンズ群を構成する凸凹の２枚のレンズのうち、該凸レンズの少なくとも一面が非球面であることを特徴とするズームレンズ。
【請求項８】
請求項２に記載のズームレンズであって、前記第２レンズ群が凸凹凸の３枚のレンズを備えて構成されたズームレンズにおいて、
前記第２レンズ群を構成する凸凹凸の３枚のレンズのうち、該凸レンズの少なくとも一面が非球面であることを特徴とするズームレンズ。
【請求項９】
請求項３又は４に記載のズームレンズにおいて、
前記第３レンズ群を構成する前記凸レンズの少なくとも一面が非球面であることを特徴とするズームレンズ。
【請求項１０】
請求項２、３、４のいずれか１項に記載のズームレンズにおいて、
前記第１レンズ群の凹成分の屈折率と、アッベ数をそれぞれｎｄｎ１、νｄｎ１とすると、
１．５０＜ｎｄｎ１＜１．８１，  ４０．０＜νｄｎ１＜７５．０
の条件を満足することを特徴とするズームレンズ。
【請求項１１】
請求項２、３、４のいずれか１項に記載のズームレンズにおいて、
前記第１レンズ群の凸成分の屈折率と、アッベ数をそれぞれｎｄｐ１、νｄｐ１とすると、
１．５５＜ｎｄｐ１＜１．８１，  ２５．４＜νｄｐ１＜４５．０
の条件を満足することを特徴とするズームレンズ。
【請求項１２】
請求項２、３、４のいずれか１項に記載のズームレンズにおいて、
前記第２レンズ群の凸成分の屈折率と、アッベ数をそれぞれｎｄｐ２、νｄｐ２とすると、
ｎｄｐ２＜１．７４，  ４８．０＜νｄｐ２
の条件を満足することを特徴とするズームレンズ。
【請求項１３】
請求項２、３、４のいずれか１項に記載のズームレンズにおいて、
前記第２レンズ群の凹成分の屈折率と、アッベ数をそれぞれｎｄｎ２、νｄｎ２とすると、
１．５８＜ｎｄｎ２，  νｄｎ２＜３０．０
の条件を満足することを特徴とするズームレンズ。
【請求項１４】
請求項３又は４に記載のズームレンズにおいて、
前記第３レンズ群の凸成分の屈折率と、アッベ数をそれぞれｎｄｐ３、νｄｐ３とすると、
１．４４＜ｎｄｐ３＜１．６５，  ５５．０＜νｄｐ３
の条件を満足することを特徴とするズームレンズ。
【発明の詳細な説明】
【技術分野】
【０００１】
本発明は、ズームレンズに関し、さらに詳しくは、デジタルカメラや携帯電話に内蔵されるカメラ等に利用される超小型のズームレンズに関する。
【背景技術】
【０００２】
従来、広角端で６０°程度の画角をカバーする２倍から３倍程度のスチルカメラ用ズームレンズの構成としては、凹凸の２群タイプのズームレンズや、凸凹の２群タイプのズームレンズが知られている。２群タイプのズームレンズでレンズの構成枚数の少ないものとしては４枚玉のものもあるが、これは銀塩カメラのレンズシャッターカメラ用のズームレンズであり、デジタルカメラや携帯電話に内蔵されるカメラのようにＣＣＤが結像面となるような場合には色むらの発生を避けるために光学系の出射瞳が遠くてテレセントリックに近い構成が求められる。
この場合、全体として負の屈折率を有する第１レンズ群と、全体として正の屈折率を有する第２レンズ群とから構成される２群のレンズ群を備えた凹凸の２群タイプのズームレンズが広角レンズとしては有利になる。そこで、この凹凸の２群タイプを発展させ、出射瞳を遠くするために凸群を後に加えた３群タイプが登場しデジタルカメラの標準ズームレンズタイプとして発展してきている。
【０００３】
例えば、特開２００１−４９２０号公報には、物体側から順に負、正の屈折率を備えた２群のレンズ群から構成されるズームレンズが開示されている。
一方、特開平９−２１９５０号公報、特開平１１−５２２４６号公報、特開２００１−２９６４７５号公報には、物体側から順に負、正、正の屈折率を備えた３群のレンズ群より構成されるズームレンズが開示されている。
【０００４】
【特許文献１】特開平９−２１９５０号公報
【特許文献２】特開平１１−５２２４６号公報
【特許文献３】特開２００１−４９２０号公報
【特許文献４】特開２００１−２９６４７５号公報
【発明の開示】
【発明が解決しようとする課題】
【０００５】
しかしながら、上述した特許文献１〜４に示されたズームレンズはいずれもレンズの構成枚数が多く、たとえ非球面のレンズを利用したとしてもレンズの枚数は最低でも６枚は必要となる。そして、さらに性能を上げるためにはそれ以上の枚数のレンズが必要となりレンズの全長も長くなるという問題があった。
また、特開２００１−２９６４７５号公報に開示されたズームレンズは３群すべてを移動させているので角レンズ群の制御が面倒であるという問題がある。これに対して特開平１１−５２２４６号公報、特開平９−２１９５０公報では、第１レンズ群と第２レンズ群を移動させると共に第３レンズ群を固定としているが使用するレンズの合計枚数が８枚〜９枚と多い。
【０００６】
そこで、本発明は、かかる従来の問題点を解決し、小型コンパクトの結像系で、結像面がＣＣＤである小型のデジタルカメラや携帯電話に内蔵される超小型のカメラに利用される出射瞳がテレセントリックに近いもので、しかもレンズの構成枚数が少なくレンズ全長が短くて性能の優れたズームレンズを提供することを目的とする。
また、本発明は、ズーム比が２倍から３倍程度で、広角端で画角が６０°〜９７°を有し、ＣＣＤの画素数が多くなっても優れた結象性能を実現可能なズームレンズを提供することを目的とする。
さらに、本発明は、ズーミングの際の制御が簡単なズームレンズを提供することを目的とする。
【課題を解決するための手段】
【０００７】
上記課題を解決するために請求項１記載の発明は、物体側より順に、負の屈折率を有する第１レンズ群と、そして、正の屈折率を有する第２レンズ群との２群のレンズ群を備え、第１レンズ群及び第２レンズ群を移動させることにより変倍を行うズームレンズ、又は、物体側より順に、負の屈折率を有する第１レンズ群と、正の屈折率を有する第２レンズ群と、そして、正の屈折率を有する第３レンズ群を備え、第２レンズ群及び第３レンズ群を移動させることにより変倍を行うズームレンズ、若しくは、物体側より順に、負の屈折率を有する第１レンズ群と、正の屈折率を有する第２レンズ群と、そして、正の屈折率を有する第３レンズ群を備え、第１レンズ群及び第２レンズ群を移動させることにより変倍を行うズームレンズであって、各レンズ群の焦点距離をfi（iは１〜３）とすると、
【数１】
2005300858.tif 000003
なる条件を満足することを特徴とするズームレンズを提供する。
【０００８】
本発明は、２群タイプでレンズ枚数を少なくして小型化しつつ、性能を確保することを可能にし、さらに３群タイプで１群をズーミングに際して固定して構造をシンプル化したものである。また、レンズの枚数を出来るだけ少なくしてズーム比を効率的にするためにはペツバル和をパワー配置で制限することが必要であり、射出瞳を遠くにするには絞り位置の決定も必要である。パワー配置を全面的に捕らえて少ないレンズ枚数での条件を考えると、かかる条件を満足する必要がある。
【０００９】
上記課題を解決するために請求項２記載の発明は、請求項１に記載の２群のレンズ群を備えたズームレンズにおいて、第１レンズ群は、凹凸の２枚のレンズを備えて形成されると共に、広角端から望遠端へ変倍移動する際には像側に凸状のＵターンで移動するようにされ、そして、第２レンズ群は、凸凹の２枚のレンズ、又は、凸凹凸の３枚のレンズを備えて形成されると共に、広角端から望遠端へ変倍移動する際には物体側に単調に移動するようにされたことを特徴とする。
【００１０】
凹凸の２群タイプの第１レンズ群の焦点距離をｆ１とし、第２レンズ群の焦点距離をｆ２とし、ズーム比をＺ、テレ側の焦点距離をｆtとすると
【数２】
2005300858.tif 000004
となり、第１レンズ群は凹、凸の２枚構成、第２レンズ群は凸、凹の２枚構成又は凸、凹、凸の３枚構成となる。
【００１１】
上記課題を解決するために請求項３記載の発明は、請求項１に記載の３群のレンズ群を備えたズームレンズであって、第１レンズ群及び第２レンズ群を移動させることにより変倍を行うズームレンズにおいて、第１レンズ群は、凹凸の２枚のレンズを備えて形成されると共に、広角端から望遠端へ変倍移動する際には像側に凸状のＵターンで移動するようにされ、第２レンズ群は、凸凹の２枚のレンズを備えて形成されると共に、広角端から望遠端へ変倍移動する際には物体側に単調に移動するようにされ、そして、第３レンズ群は、凸の１枚のレンズを備えて形成されると共に、固定とされたことを特徴とする。
【００１２】
上記請求項２の２群タイプの変倍部を比例拡大し、３群で縮小する３群タイプ構造とすると全長が若干長くなる構成となる。
【００１３】
上記課題を解決するために請求項４記載の発明は、請求項１に記載の３群のレンズ群を備えたズームレンズであって、第２レンズ群及び第３レンズ群を移動させることにより変倍を行うズームレンズにおいて、第１レンズ群は、凹凸の２枚のレンズを備えて形成されると共に、固定とされ、第２レンズ群は、凸凹の２枚のレンズを備えて形成されると共に、広角端から望遠端へ変倍移動する際には物体側に単調に移動するようにされ、そして、第３レンズ群は、凸の１枚のレンズを備えて形成されると共に、広角端から望遠端へ変倍移動する際には物体側に単調に移動するようにされたことを特徴とする。
【００１４】
第１レンズ群は凹(負レンズ系)、第２レンズ群は凸(正レンズ系)、第３レンズ群は凸(正レンズ系)で構成し、第１レンズ群の焦点距離をｆ１、第２レンズ群の焦点距離をｆ２、第３レンズ群の焦点距離をｆ３とし、ズーム比をＺ、テレ側の焦点距離をｆｔとすると
【数３】
2005300858.tif 000005
となり、１群は凹、凸レンズの２枚構成、２群は凸、凹レンズの２枚構成、３群は凸レンズの１枚構成となり、１群はズーミングで移動しない構成となる。
【００１５】
上記課題を解決するために請求項５記載の発明は、請求項２、３、４のいずれか１項に記載のズームレンズにおいて、第１レンズ群を構成する凹凸の２枚のレンズのうち、凹レンズの少なくとも一面が非球面であることを特徴とする。
【００１６】
上述したパワー配置をベースにして非球面利用、硝子材料、プラスチック材料の選択を考える。請求項５は、Ｗｉｄｅ側（広角端側）での歪曲収差を小さくするために少なくとも第１群の凹レンズのＲ２面の曲率半径を小さくする必要があるので最低でもこの面を非球面にすることが必要となる。もちろんＲ１面を非球面化することも効果的である。
【００１７】
上記課題を解決するために請求項６記載の発明は、請求項２に記載のズームレンズであって、第２レンズ群が凸凹の２枚のレンズを備えて構成されたズームレンズにおいて、当該第２レンズ群を構成する凸凹の２枚のレンズは貼り合わせレンズよりなると共に、該凸レンズ及び該凹レンズの少なくとも一面が非球面であることを特徴とする。
凸レンズ及び凹レンズの少なくとも一面を非球面とすることにより構成枚数の少ないレンズ群であっても性能のよいレンズを提供でき、しかも貼り合わせとすることにより偏芯精度の向上を図ることが容易となる。
【００１８】
上記課題を解決するために請求項７記載の発明は、請求項３又は４に記載のズームレンズにおいて、第２レンズ群を構成する凸凹の２枚のレンズのうち、凸レンズの少なくとも一面が非球面であることを特徴とする。
【００１９】
上記課題を解決するために請求項８に記載の発明は、請求項２に記載のズームレンズであって、第２レンズ群が凸凹凸の３枚のレンズを備えて構成されたズームレンズにおいて、第２レンズ群を構成する凸凹凸の３枚のレンズのうち、凸レンズの少なくとも一面が非球面であることを特徴とする。
【００２０】
従来は、第２レンズ群のレンズ枚数を４枚以上と多くして明るさに対する収差補正を満足させていたが、請求項６、７、８では、第２レンズ群を構成する凸レンズの少なくとも一面を非球面として、従来よりもレンズ枚数を少なくすることを可能とした。もちろん、非球面化は凸レンズのＲ１面の他、Ｒ２面や次の凹レンズ凸レンズの両面でも効果はある。
【００２１】
上記課題を解決するために請求項９に記載の発明は、請求項３又は４に記載のズームレンズにおいて、第３レンズ群を構成する凸レンズの少なくとも一面が非球面であることを特徴とする。
第３群を構成する１枚の凸レンズの少なくとも１面を非球面として全体としての収差補正を行う。
【００２２】
上記課題を解決するために請求項１０に記載の発明は、請求項２、３、４のいずれか１項に記載のズームレンズにおいて、第１レンズ群の凹成分の屈折率と、アッベ数をそれぞれｎｄｎ１、νｄｎ１とすると、  １．５０＜ｎｄｎ１＜１．８１，  ４０．０＜νｄｎ１＜７５．０  の条件を満足することを特徴とする。
【００２３】
上記課題を解決するために請求項１１に記載の発明は、請求項２、３、４のいずれか１項に記載のズームレンズにおいて、第１レンズ群の凸成分の屈折率と、アッベ数をそれぞれｎｄｐ１、νｄｐ１とすると、  １．５５＜ｎｄｐ１＜１．８１，  ２５．４＜νｄｐ１＜４５．０  の条件を満足することを特徴とする。
【００２４】
請求項１０及び請求項１１は、第１レンズ群が負の屈折率を有するので色消し条件は、  νｄｐ＜νｄｎ  となる。
また、コンパクト化を図るためには焦点距離を短く曲率半径を大きくする必要があり、そのため屈折率ｎｄｎ，ｎｄｐの高い材料を選択したいことになる。特に第１レンズ群の焦点距離は第２レンズ群の焦点距離に比べて絶対値が小さい負の値となるので像面湾曲を小さくするためのペツバル和の値を小さくするためには凹レンズの屈折率をより大きな値にする必要がある。しかしながら、レンズを形成する光学ガラスやプラスチック材料の特性状の制約から少なくともこれらの条件を満足することが必要となる。
【００２５】
上記課題を解決するために請求項１２に記載の発明は、請求項２、３、４のいずれか１項に記載のズームレンズにおいて、第２レンズ群の凸成分の屈折率と、アッベ数をそれぞれｎｄｐ２、νｄｐ２とすると、  ｎｄｐ２＜１．７４，  ４８．０＜νｄｐ２  の条件を満足することを特徴とする。
【００２６】
上記課題を解決するために請求項１３に記載の発明は、請求項２、３、４のいずれか１項に記載のズームレンズにおいて、第２レンズ群の凹成分の屈折率と、アッベ数をそれぞれｎｄｎ２、νｄｎ２とすると、  １．５８＜ｎｄｎ２，  νｄｎ２＜３０．０  の条件を満足することを特徴とする。
【００２７】
請求項１２及び請求項１３は、第２レンズ群が正レンズ群であるので色消し条件とズームレンズ光学系第１レンズ群、第３レンズ群をも配慮した全体のペツバル和を考慮するとこれらの条件を満足することが必要となる。
【００２８】
上記課題を解決するために請求項１４に記載の発明は、請求項３又は４に記載のズームレンズにおいて、第３レンズ群の凸成分の屈折率と、アッベ数をそれぞれｎｄｐ３、νｄｐ３とすると、  １．４４＜ｎｄｐ３＜１．６５，  ５５．０＜νｄｐ３  の条件を満足することを特徴とする。
【００２９】
請求項１４は、第３レンズ群が凸レンズ１枚のレンズであるのでνdは大きい方が全体の色消し効果が良くなり、しかも１枚レンズであるから屈折率は高い方が収差バランスをとるには良い。しかし、非球面を利用することにより全体の枚数を少なくしてペツバル和を小さくすることができるので屈折率が小さい材料であっても利用することが可能となる。
【００３０】
請求項１０〜１４の条件で、硝子プラスチック材料を選び、全体のペツバル和は４枚又は５枚レンズ系であるから、
【数４】
2005300858.tif 000006
の
−０．０６５＜ｐ＜０．０６５を満足する材料を選択することになる。
【発明の効果】
【００３１】
本発明に係るズームレンズによれば、レンズの構成枚数が少なくレンズ全長が短くて性能の優れたズームレンズを提供することができるという効果がある。
すなわち、本発明に係るズームレンズによれば、画角２ω＝９６〜５０°までの高画角を有すると共に、ＦナンバーがＦ３．５〜５．１程度の口径比を有し、約２倍の変倍比を持つレンズ枚数が４枚の超小型の高性能ズームレンズを提供することできるという効果がある。
また、画角２ω＝７１．２〜２６．２°を有すると共に、ＦナンバーがＦ２．８〜４．８程度の口径比を有し、約３倍の変倍比を持つレンズ枚数が５枚の超小型の高性能ズームレンズを提供することができるという効果がある。
さらに、Ｆナンバーが３．５〜６．１であれば、画角２ω＝８０°台〜３０°台のレンズ枚数４枚の３倍ズームレンズも設計できるという効果がある。
【００３２】
また、本発明に係るズームレンズによれば、ズームに際して２つのレンズ群を移動可能に構成したのでズームに係る制御を簡単に行うことが可能となるという効果がある。
【発明を実施するための最良の形態】
【００３３】
以下、本発明に係るズームレンズについて、図示された好ましい一実施形態に基づいて、更に詳しく説明する。図１は実施例１のレンズの構成と移動軌跡を示す図、図２は実施例１の無限遠撮影距離での広角端（ａ）から望遠端（ｃ）までの収差図である。
【００３４】
実施例１のズームレンズ１は、物体側より順に、負の屈折率を有する第１レンズ群Ｌ１と、正の屈折率を有する第２レンズ群Ｌ２との２群のレンズ群を備えて構成されている。第１レンズ群は、凹レンズＬ１１と凸レンズＬ１２の２枚のレンズを備えて形成されており、像側に凸状のＵターンで移動するようになっている。また、凹レンズＬ１１のＲ１面とＲ２面及び凸レンズＬ１２のＲ３面はそれぞれ非球面とされている。ここで、「像側に凸状のＵターンで移動」とは、広角端から望遠端へ変倍移動するに際して変倍時の画像の位置を一定にするために光軸上を移動レンズ群が一端像側へ移動したのち、今度は移動方向を物体側に変えて移動することをいう。
【００３５】
一方、第２レンズ群は、凸レンズＬ２１と凹レンズＬ２２の２枚のレンズを備えて形成されると共に、物体側に単調に移動するようになっている。凸レンズＬ２１と凹レンズＬ２２は貼り合わせとされ、また、凸レンズＬ２１のＲ６面と凹レンズＬ２２のＲ８面はそれぞれ非球面とされている。そして、第２レンズ群Ｌ２の凸レンズＬ２１の前面近傍には絞りＳが配置されている。ここで、「物体側に単調に移動」とは、移動レンズ群が広角端から望遠端へ変倍移動するに際して光軸上を単に直線的に移動することをいう。
図示されたズームレンズ１は、第１レンズ群と第２レンズ群を移動させることによって変倍が行われる。尚、Ｇはカバー硝子である。
【００３６】
ズームレンズ１は、レンズ材料はすべてガラスの４枚玉で、ワイドの画角８０．８°、Ｆナンバー３．５、ＣＣＤへの効像円６ｍｍφ、ズーム比約２倍のズームレンズである。以下に、実施例１のズームレンズの有する各種のデータ・条件を示す。
実施例１
２群タイプ：ズーム比約２
焦点距離：３．６４〜７．９５ｍｍ、Ｆナンバー＝３．５〜５．３、射出瞳位置：−５．３〜−９．１１（像面より）
第1群の焦点距離；f1=-5.4134、第２群の焦点距離；f2=4.7804であるから、
【数５】
2005300858.tif 000007
ペツバル和：ｐ＝0.003、後ろの２面はカバー硝子、D10はバックフォーカスの値、光学全長は焦点距離変化のレンズの最先端から像面までの距離。
R(I)        D(I)              Nd       Vd
[1]   30.3606       0.97           1.73310    48.9
[2]    3.0864       1.55    
[3]    6.1092       1.55           1.80518    25.4
[4]    7.3379       D4
[5]   （絞り）      0.2647
[6]    2.9712       2.18           1.73310    48.9
[7]   -4.6382       0.76           1.80518    25.4
[8]   17.6619       D8
[9]    ∞           0.3            1.51633    64.1
[10]   ∞          D10
(非球面データ)
第１面e=1                  第２面e=1                   第３面e=1
C2 = 0.00000000D+00       C2 = 0.00000000D+00       C2 = 0.00000000D+00
C4 = 0.16081517D-01       C4 = 0.28363051D-01       C4=  0.50457893D-02
C6 =-0.15732674D-02       C6 = 0.35250975D-02       C6 = 0.88177722D-03
C8 = 0.72176126D-04       C8 =-0.26907433D-03       C8 =-0.19960150D-03
C10=-0.15013811D-05       C10=-0.48535912D-04       C10= 0.17890932D-04
第６面e=1                  第８面e=1
C2 = 0.00000000D+00      C2 = 0.00000000D+00
C4 = 0.36195121D-03      C4 = 0.14185147D-01
C6 = 0.88328818D-03      C6 = 0.30227866D-02
C8 =-0.45798301D-03      C8 =-0.54010182D-03
C10= 0.77935024D-04      C10= 0.32797065D-03
焦点距離          ３．６４            ５．３８            ７．９５
可変間隔D4          4.818              2.5115              0.9562
D8          3.3289             4.8685              7.138
バックフォーカスD10    2.5             2.5                 2.5
光学全長        １８．２３〜        １７．４６〜        １８．１８ｍｍ
【００３７】
ここで、本発明の非球面表現の表し方を説明する。非球面は回転対称非球面であるので回転軸をｘとしてそのサグ量を光軸からの高さｙの函数として表すと、
【数６】
2005300858.tif 000008
となる。
【００３８】
次に、実施例２について説明する。図３は実施例２のレンズの構成と移動軌跡を示す図、図４は実施例２の無限遠撮影距離での広角端（ａ）から望遠端（ｃ）までの収差図である。
【００３９】
実施例２のズームレンズ２は、実施例１のズームレンズ１と同様に、物体側より順に、負の屈折率を有する第１レンズ群Ｌ１と、正の屈折率を有する第２レンズ群Ｌ２との２群のレンズ群を備えて構成されている。第１レンズ群は、凹レンズＬ１１と凸レンズＬ１２の２枚のレンズを備えて形成されており、像側に凸状のＵターンで移動するようになっている。また、凹レンズＬ１１のＲ１面とＲ２面及び凸レンズＬ１２のＲ３面はそれぞれ非球面とされている。
【００４０】
一方、第２レンズ群は、凸レンズＬ２１と凹レンズＬ２２の２枚のレンズを備えて形成されると共に、物体側に単調に移動するようになっている。凸レンズＬ２１と凹レンズＬ２２は貼り合わせとされ、また、凸レンズＬ２１のＲ６面と凹レンズＬ２２のＲ８面はそれぞれ非球面とされている。そして、第２レンズ群Ｌ２の凸レンズＬ２１の前面近傍には絞りＳが配置されている。
図示されたズームレンズ２は、第１レンズ群と第２レンズ群を移動させることによって変倍が行われる。Ｇはカバー硝子である。
【００４１】
ズームレンズ２は、レンズ材料はガラス２枚プラスチック２枚の４枚玉で、ワイドの画角９６．６°、Ｆナンバー３．５、ＣＣＤへの効像円６ｍｍφ、ズーム比約２倍のズームレンズである。以下に、実施例２のズームレンズの有する各種のデータ・条件を示す。
実施例２
２群タイプ：ズーム比約２
焦点距離；２．６８〜５．８９ｍｍ、Ｆナンバー＝３．５〜５．１、射出瞳位置；−４．４８〜−７．３２(像面より)
第1群の焦点距離；f1=-3.9832、第2群の焦点距離；f2=3.5174であるから、
【数７】
2005300858.tif 000009
ペツバル和：ｐ＝0.068、後ろの２面はカバー硝子、D10はバックフォーカスの値。
R(I)        D(I)        Nd       Vd
[1]       -34.1146      1.52       1.73310    48.9
[2]         2.017       0.73
[3]         2.1659      1.0        1.75520    27.5
[4]         3.0477      D4
[5]        絞り         0.2
[6]         1.8995      1.7        1.5247     56.2
[7]        -1.6341      0.6        1.58349    29.9
[8]       -10.5606      D8
[9]       ∞            0.3        1.51633    64.1
[10]      ∞           D10
非球面データ
第１面e=1                   第２面e=1                第３面e=1
C2 = 0.00000000D+00        C2 = 0.00000000D+00      C2 = 0.00000000D+00
C4 = 0.11768966D-01        C4 = 0.73182447D-02      C4 =-0.94285429D-02
C6 =-0.79615204D-03        C6 = 0.17146321D-01      C6 = 0.67476666D-02
C8 = 0.22926000D-04        C8 =-0.22742958D-02      C8 =-0.22159615D-02
C10=-0.19065732D-06        C10=-0.32678334D-03      C10= 0.14866271D-03
第６面e=1                   第８面e=1
C2 = 0.00000000D+00        C2 = 0.00000000D+00
C4 =-0.59085205D-02        C4 = 0.29443076D-01
C6 = 0.10913823D-01        C6 = 0.16060468D-01
C8 =-0.12372022D-01        C8 =-0.73321231D-02
C10= 0.42907597D-02        C10= 0.47361672D-02
焦点距離          ２．６８            ３．９６              ５．８９
可変間隔D4         3.3443               1.6472                0.4880
D8        2.4769               3.6096                5.3119
バックフォーカス   1.787                1.787                 1.787
光学全長        １３．６６          １３．０９            １３．６４
【００４２】
次に、実施例３について説明する。図５は実施例３のレンズの構成と移動軌跡を示す図、図６は実施例３の無限遠撮影距離での広角端（ａ）から望遠端（ｃ）までの収差図である。
【００４３】
実施例３のズームレンズ３は、実施例２のズームレンズ２と同様に、物体側より順に、負の屈折率を有する第１レンズ群Ｌ１と、正の屈折率を有する第２レンズ群Ｌ２との２群のレンズ群を備えて構成されている。第１レンズ群は、凹レンズＬ１１と凸レンズＬ１２の２枚のレンズを備えて形成されており、像側に凸状のＵターンで移動するようになっている。また、凹レンズＬ１１のＲ１面とＲ２面及び凸レンズＬ１２のＲ３面はそれぞれ非球面とされている。
【００４４】
一方、第２レンズ群は、凸レンズＬ２１と凹レンズＬ２２の２枚のレンズを備えて形成されると共に、物体側に単調に移動するようになっている。凸レンズＬ２１と凹レンズＬ２２は貼り合わせとされ、また、凸レンズＬ２１のＲ６面と凹レンズＬ２２のＲ８面はそれぞれ非球面とされている。そして、第２レンズ群Ｌ２の凸レンズＬ２１の前面近傍には絞りＳが配置されている。
図示されたズームレンズ３は、第１レンズ群と第２レンズ群を移動させることによって変倍が行われる。Ｇはカバー硝子である。
【００４５】
ズームレンズ３は、レンズ材料はガラス１枚プラスチック３枚の４枚玉で、ワイドの画角８０．８°、Ｆナンバー３．５、ＣＣＤへの効像円６ｍｍφ、ズーム比約２倍のズームレンズである。以下に、実施例３のズームレンズの有する各種のデータ・条件を示す。
実施例３
２群タイプ：ズーム比約２
焦点距離；３．６４〜８．００ｍｍ、Ｆナンバー＝３．６〜５.２、射出瞳位置；−５．７８〜−９．６３(像面より)
第1群の焦点距離；f1=-5.4134、第2群の焦点距離；f2=4.7804であるから、
【数８】
2005300858.tif 000010
ペツバル和：ｐ＝0.06、後ろの２面はカバー硝子、D10はバックフォーカス。
R(I)       D(I)          Nd        Vd
[1]    348.5221     1.65         1.6935      53.2
[2]      2.6246     1.16
[3]      2.9459     1.0          1.58349     29.9
[4]      4.2095     D4
[5]     絞り        0.25
[6]      2.4518     2.2          1.5247      56.2
[7]     -2.3326     0.75         1.58349     29.9
[8]    -27.6927     D8
[9]     ∞          0.3          1.51633     64.1
[10]    ∞          D10
(非球面データ)
第１面  e=1                第２面e=1                 第３面e=1
C2 = 0.00000000D+00       C2 = 0.00000000D+00       C2 = 0.00000000D+00
C4 = 0.63036969D-02       C4 = 0.97730151D-02       C4 =-0.42092606D-03
C6 =-0.43316288D-03       C6 = 0.29381514D-02       C6 = 0.12828585D-02
C8 = 0.16239308D-04       C8 =-0.49812111D-03       C8 =-0.29169547D-03
C10=-0.25124673D-06       C10= 0.16772304D-04       C10= 0.15615633D-04
第６面  e=1                第８面  e=1
C2 = 0.00000000D+00        C2 = 0.00000000D+00
C4 =-0.84015076D-03        C4 = 0.17374798D-01
C6 = 0.26897610D-03        C6 = 0.50206859D-03
C8 =-0.70987843D-04        C8 = 0.20238579D-02
C10=-0.70216948D-04        C10=-0.33160654D-03
焦点距離            ３．６４            ５．３８          ８．００
可変間隔  D4          4.5699               2.2634            0.6879
D8          3.3725               4.9120            7.2255
バックフォーカスD10   2.4997               2.4997            2.4997
光学全長             17.7495              16.9826           17.7206
【００４６】
次に、実施例４について説明する。図７は実施例４のレンズの構成と移動軌跡を示す図、図８は実施例４の無限遠撮影距離での広角端（ａ）から望遠端（ｃ）までの収差図である。
【００４７】
実施例４のズームレンズ４は、実施例２のズームレンズ２や実施例３のズームレンズ３と同様に、物体側より順に、負の屈折率を有する第１レンズ群Ｌ１と、正の屈折率を有する第２レンズ群Ｌ２との２群のレンズ群を備えて構成されている。第１レンズ群は、凹レンズＬ１１と凸レンズＬ１２の２枚のレンズを備えて形成されており、像側に凸状のＵターンで移動するようになっている。また、凹レンズＬ１１のＲ１面とＲ２面及び凸レンズＬ１２のＲ３面はそれぞれ非球面とされている。
【００４８】
一方、第２レンズ群は、凸レンズＬ２１と凹レンズＬ２２の２枚のレンズを備えて形成されると共に、物体側に単調に移動するようになっている。凸レンズＬ２１と凹レンズＬ２２は貼り合わせとされ、また、凸レンズＬ２１のＲ６面と凹レンズＬ２２のＲ８面はそれぞれ非球面とされている。そして、第２レンズ群Ｌ２の凸レンズＬ２１の前面近傍には絞りＳが配置されている。
図示されたズームレンズ４は、第１レンズ群と第２レンズ群を移動させることによって変倍が行われる。Ｇはカバー硝子である。
【００４９】
ズームレンズ４は、レンズ材料はガラス２枚プラスチック２枚の４枚玉で、ワイドの画角８４．０°、Ｆナンバー３．５、ＣＣＤへの効像円６ｍｍφ、ズーム比約３倍のズームレンズである。以下に、実施例４のズームレンズの有する各種のデータ・条件を示す。
実施例４
２群タイプ：ズーム比約３
焦点距離；３．４０〜１０．００ｍｍ、Ｆナンバー＝３．５〜６．１、射出瞳位置；−５．４８〜−１１．３１(像面より)
第1群の焦点距離；f1=-5.4134、第2群の焦点距離；f2=4.7804であるから、
【数９】
2005300858.tif 000011
ペツバル和：ｐ＝0.0541、後の２面はカバー硝子、D10はバックフォーカス。
R(I)      D(I)        Nd      Vd
[1]   63.6993     1.46        1.80610  40.4
[2]    2.7330     1.15
[3]    3.0153     1.0         1.80627  25.4
[4]    4.0039     D4
[5]  絞り         0.0
[6]    2.5673     2.87        1.5247   56.2
[7]   -1.9638     0.58        1.58349  29.9
[8]  -13.7321     D8
[9]    ∞         0.3         1.51633  64.1
[10]   ∞         D10
(非球面データ)
第１面e=1                 第２面 e=1                 第３面 e=1
C2 = 0.00000000D+00      C2 = 0.00000000D+00        C2 = 0.00000000D+00
C4 = 0.50687863D-02      C4 = 0.56277523D-02        C4 =-0.13943220D-02
C6 =-0.25534791D-03      C6 = 0.85603896D-03        C6 =-0.24664062D-03
C8 = 0.63854090D-05      C8 = 0.11805695D-04        C8 = 0.98480493D-04
C10=-0.45149534D-07      C10=-0.15514489D-04        C10=-0.12946006D-04
第６面  e=1               第８面  e=1
C2 = 0.00000000D+00      C2 = 0.00000000D+00
C4 =-0.47229475D-02      C4 = 0.38116475D-02
C6 = 0.43721339D-02      C6 = 0.40495949D-02
C8 =-0.31319070D-02      C8 =-0.50031984D-03
C10= 0.75948476D-03      C10= 0.88330612D-04
焦点距離            ３．４０          ５．３８            １０．００
可変間隔 D4           5.3141            2.5134                0.2907
D8           2.9166            4.6646                8.7448
バックフォーカスD10   2.5               2.5                   2.5
光学全長          １８．１          １７．０５            １８．９１
【００５０】
次に、実施例５について説明する。図９は実施例５のレンズの構成と移動軌跡を示す図、図１０は実施例５の無限遠撮影距離での広角端（ａ）から望遠端（ｃ）までの収差図である。
【００５１】
実施例５のズームレンズ５は、物体側より順に、負の屈折率を有する第１レンズ群Ｌ１と、正の屈折率を有する第２レンズ群Ｌ２との２群のレンズ群を備えて構成されている。第１レンズ群は、凹レンズＬ１１と凸レンズＬ１２の２枚のレンズを備えて形成されており、像側に凸状のＵターンで移動するようになっている。また、凹レンズＬ１１のＲ１面とＲ２面はそれぞれ非球面とされている。
【００５２】
一方、第２レンズ群は、凸レンズＬ２１と凹レンズＬ２２と凸レンズＬ２３の３枚のレンズを備えて形成されると共に、物体側に単調に移動するようになっている。また、凸レンズＬ２１のＲ６面と凸レンズＬ２３のＲ１０面がそれぞれ非球面とされている。そして、第２レンズ群Ｌ２の凸レンズＬ２１の前面近傍には絞りＳが配置されている。
図示されたズームレンズ５は、第１レンズ群と第２レンズ群を移動させることによって変倍が行われる。Ｇはカバー硝子である。
【００５３】
ズームレンズ５は、レンズ材料はガラス３枚プラスチック２枚の５枚玉で、ワイドの画角７２．２°、Ｆナンバー２．８、ＣＣＤへの効像円２．２５ｍｍφ、ズーム比約３倍のズームレンズである。以下に、実施例５のズームレンズの有する各種のデータ・条件を示す。
実施例５
２群タイプ：ズーム比３
焦点距離：１．６０〜４．８０ｍｍ、Ｆナンバー＝２．８〜５．１、射出瞳位置；−４．６７〜−８．３７（像面より）
第１群の焦点距離：f1=-2.7713、第２群の焦点距離：f2=3.2であるから、
【数１０】
2005300858.tif 000012
ペツバル和：ｐ=-0.063、後の２面はカバー硝子、D13はバックフォーカスの値。
R(I)         D(I)          Nd      Vd
[1]    -23.1272      0.5          1.69350   53.2
[2]      1.2599      0.8
[3]      2.4433      0.8          1.62588   35.7
[4]      6.4203      D4
[5]      絞り        0.3
[6]      1.5834      1.2          1.52470   56.2
[7]     -3.9678      0.2
[8]     10.4329      0.4          1.80518   25.4
[9]      1.4697      0.2
[10]     1.4120      0.8          1.49194   56.0
[11]     3.4587      D11
[12]     ∞          0.3          1.51633   64.1
[13]     ∞          D13=1.04
（非球面データ）
第１面  e=1                         第２面  e=1
C2 = 0.0000000D+00                 C2 = 0.00000000D+00
C4 = 0.35378769D-01                C4 =-0.79050657D-02
C6 =-0.91840761D-02                C6 = 0.17375669D-01
C8 =-0.81747594D-03                C8 =-0.41826037D-01
C10= 0.55453255D-03                C10=-0.23142887D-02
第6面  e=1                         第10面  e=1
C2 = 0.0000000D+00                 C2 = 0.00000000D+00
C4 =-0.22193067D-01                C4 =-0.74291596D-01
C6 =-0.12698702D-01                C6 =-0.10355944D-01
C8 = 0.16557039D-02                C8 =-0.42710754D-01
C10=-0.20940086D-02                C10= 0.25321829D-01
焦点距離           １．６０       ２．７７     ４．８０
可変間隔 D4         4.7911         2.4486       1.0961
D11        1.6326         2.9850       5.3276
光学全長     12.96〜        11.97〜      12.96mm
【００５４】
次に、実施例６について説明する。図１１は実施例６のレンズの構成と移動軌跡を示す図、図１２は実施例６の無限遠撮影距離での広角端（ａ）から望遠端（ｃ）までの収差図である。
【００５５】
実施例６のズームレンズ６は、物体側より順に、負の屈折率を有する第１レンズ群Ｌ１と、正の屈折率を有する第２レンズ群Ｌ２と、そして、正の屈折率を有する第３レンズ群Ｌ３の３群のレンズ群を備えて構成されている。第１レンズ群は、凹レンズＬ１１と凸レンズＬ１２の２枚のレンズを備えて形成されており、像側に凸状のＵターンで移動するようになっている。また、凹レンズＬ１１のＲ１面とＲ２面はそれぞれ非球面とされている。
【００５６】
一方、第２レンズ群は、凸レンズＬ２１と凹レンズＬ２２の２枚のレンズを備えて形成されると共に、物体側に単調に移動するようになっている。そして、凸レンズＬ２１のＲ６面が非球面とされている。第２レンズ群Ｌ２の凸レンズＬ２１の前面近傍には絞りＳが配置されている。
さらに、第３レンズ群Ｌ３は、凸レンズＬ３１を備えて構成されており、そのＲ１０面は非球面とされている。
図示されたズームレンズ６は、第１レンズ群Ｌ１と第２レンズ群Ｌ２を移動させることによって変倍が行われる。Ｇはカバー硝子である。
【００５７】
ズームレンズ６は、レンズ材料はすべてガラスの５枚玉で、ワイドの画角７２．０°、Ｆナンバー２．８、ＣＣＤへの効像円２．２５ｍｍφ、ズーム比約３倍のズームレンズである。以下に、実施例６のズームレンズの有する各種のデータ・条件を示す。
実施例６
３群タイプ：ズーム比３（移動レンズ群；第１レンズ群、第２レンズ群）
焦点距離：１．６０〜４．８０ｍｍ、Ｆナンバー＝２．７〜４．９、射出瞳位置；−６．０〜−４３．８（像面より）
第１群の焦点距離：f1=-4.0、第２群の焦点距離：f2=4.5、第３群の焦点距離f3=9.24であるから、
【数１１】
2005300858.tif 000013
ペツバル和：p=0.0088、最後の２面はカバー硝子、D13はバックフォーカスの値。
R(I)          D(I)          Nd        Vd
[1]   -9.2532       0.4          1.6935     53.2
[2]    1.8436       0.75
[3]    2.9483       1.0          1.6727     32.1
[4]    9.4627       D4
[5]    絞り         0.2
[6]    1.8486       1.1          1.48749    70.1
[7]   -4.1481       0.1
[8]    2.9532       0.4          1.80518    25.4
[9]    1.4979       D9
[10]   3.7783       0.8          1.48749    70.1
[11]  21.7761       D11
[12]    ∞          0.3          1.51633    64.1
[13]    ∞          D13=1.0
（非球面データ）
第１面  e=1                           第２面  e=1
C2 = 0.0000000D+00                  C2 = 0.00000000D+00
C4 = 0.38993440D-01                 C4 = 0.23864549D-01
C6 =-0.11025637D-01                 C6 = 0.91114503D-03
C8 = 0.15081266D-02                 C8 =-0.64886885D-02
C10=-0.73592548D-04                 C10= 0.87457802D-03
第6面  e=1                           第10面  e=1
C2 = 0.0000000D+00                  C2 = 0.00000000D+00
C4 =-0.28693632D-01                 C4 =-0.82818998D-03
C6 = 0.31825853D-03                 C6 = 0.50972730D-02
C8 =-0.58735539D-02                 C8 =-0.50891657D-02
C10= 0.20935641D-02                 C10= 0.16919110D-02
焦点距離           １．６０      ２．７７     ４．８０
可変間隔 D4         7.2604        3.9662       2.0643
D9         1.5061        3.408        6.7022
D11        1.0           1.0          1.0
光学全長：       １５．８２〜  １４．４３〜  １５．８２ｍｍ
【００５８】
次に、実施例７について説明する。図１３は実施例７のレンズの構成と移動軌跡を示す図、図１４は実施例７の無限遠撮影距離での広角端（ａ）から望遠端（ｃ）までの収差図である。
【００５９】
実施例７のズームレンズ７は、物体側より順に、負の屈折率を有する第１レンズ群Ｌ１と、正の屈折率を有する第２レンズ群Ｌ２と、そして、正の屈折率を有する第３レンズ群Ｌ３の３群のレンズ群を備えて構成されている。第１レンズ群は、凹レンズＬ１１と凸レンズＬ１２の２枚のレンズを備えて形成されており、像側に凸状のＵターンで移動するようになっている。また、凹レンズＬ１１のＲ１面とＲ２面はそれぞれ非球面とされている。
一方、第２レンズ群は、凸レンズＬ２１と凹レンズＬ２２の２枚のレンズを備えて形成されると共に、物体側に単調に移動するようになっている。そして、凸レンズＬ２１のＲ６面が非球面とされている。第２レンズ群Ｌ２の凸レンズＬ２１の前面近傍には絞りＳが配置されている。
さらに、第３レンズ群Ｌ３は、凸レンズＬ３１を備えて構成されており、そのＲ１０面は非球面とされている。
図示されたズームレンズ７は、第１レンズ群Ｌ１と第２レンズ群Ｌ２を移動させることによって変倍が行われる。Ｇはカバー硝子である。
【００６０】
ズームレンズ７は、レンズ材料はガラス３枚プラスチック２枚の５枚玉で、ワイドの画角７０．０°、Ｆナンバー２．７、ＣＣＤへの効像円２．２５ｍｍφ、ズーム比約３倍のズームレンズである。以下に、実施例７のズームレンズの有する各種のデータ・条件を示す。
実施例７
３群タイプ：ズーム比３（移動レンズ群；第１レンズ群、第２レンズ群）
焦点距離：１．６０〜４．８０ｍｍ、Ｆナンバー＝２．７〜４．８、射出瞳位置；−６．２〜−４７．６（像面より）
第１群の焦点距離：f1=-4.0、第２群の焦点距離：f2=4.5、第３群の焦点距離f3=9.24であるから、
【数１２】
2005300858.tif 000014
ペツバル和：ｐ＝0.0195、最後の２面はカバー硝子、D13はバックフォーカスの値。
R(I)           D(I)           Nd        Vd
[1]      -9.1315         0.4          1.69350    53.2
[2]       1.755          0.76
[3]       4.7432         0.8          1.6727     32.1
[4]     -31.6003         D4
[5]      絞り            0.2
[6]       1.9146         1.1          1.49194    56.0
[7]      -3.1416         0.1
[8]       5.2333         0.4          1.80518    25.4
[9]       1.8972         D9
[10]      5.004          0.8          1.49194    56.0
[11]    -47.1553         D11
[12]      ∞             0.3          1.51633    64.1
[13]      ∞             D13=1.0
（非球面データ）
第１面  e=1                         第２面  e=1
C2 = 0.0000000D+00                 C2 = 0.00000000D+00
C4 =-0.10694995D-01                C4 =-0.49126107D-01
C6 = 0.12365887D-01                C6 = 0.14881827D-01
C8 =-0.27682256D-02                C8 = 0.20790177D-02
C10= 0.14376206D-03                C10=-0.29347420D-02
第6面  e=1                         第10面  e=1
C2 = 0.0000000D+00                C2 = 0.00000000D+00
C4 =-0.37988929D-01               C4 =-0.44527640D-02
C6 = 0.88561753D-02               C6 =-0.24234441D-02
C8 =-0.15309566D-01               C8 = 0.79068651D-03
C10= 0.56705164D-02               C10= 0.13627796D-03
焦点距離              １．６０     ２．７７    ４．８０
可変間隔   D4          6.8351       3.5409      1.6389
D9          1.4219       3.3238      6.618
D11         1.1541       1.1541      1.1541
光学全長：          １５．２６〜  １３．８７〜  １５．２６ｍｍ
【００６１】
次に、実施例８について説明する。図１５は実施例８のレンズの構成と移動軌跡を示す図、図１６は実施例８の無限遠撮影距離での広角端（ａ）から望遠端（ｃ）までの収差図である。
【００６２】
実施例８のズームレンズ８は、物体側より順に、負の屈折率を有する第１レンズ群Ｌ１と、正の屈折率を有する第２レンズ群Ｌ２と、そして、正の屈折率を有する第３レンズ群Ｌ３の３群のレンズ群を備えて構成されている。第１レンズ群は、凹レンズＬ１１と凸レンズＬ１２の２枚のレンズを備えて形成されており、移動せず固定とされている。また、凹レンズＬ１１のＲ１面とＲ２面はそれぞれ非球面とされている。
【００６３】
一方、第２レンズ群は、凸レンズＬ２１と凹レンズＬ２２の２枚のレンズを備えて形成されると共に、物体側に単調に移動するようになっている。そして、凸レンズＬ２１のＲ６面が非球面とされている。第２レンズ群Ｌ２の凸レンズＬ２１の前面近傍には絞りＳが配置されている。
さらに、第３レンズ群Ｌ３は、凸レンズＬ３１を備えて構成されており、物体側に単調に移動するようになっている。そして、凸レンズＬ３１のＲ１０面は非球面とされている。
図示されたズームレンズ８は、第２レンズ群Ｌ２と第３レンズ群Ｌ３を移動させることによって変倍が行われる。Ｇはカバー硝子である。
【００６４】
ズームレンズ８は、レンズ材料はすべてガラスの５枚玉で、ワイドの画角６６．６°、Ｆナンバー２．８、ＣＣＤへの効像円２．２５ｍｍφ、ズーム比約３倍のズームレンズである。以下に、実施例８のズームレンズの有する各種のデータ・条件を示す。
実施例８
３群タイプ：ズーム比３（移動レンズ群；第２レンズ群、第３レンズ群）
焦点距離：１．６０〜４．８０ｍｍ、Ｆナンバー＝２.８〜４.８、射出瞳位置；−５.６７〜−９.３７（像面より）
第１群の焦点距離：f1=-2.7713、第２群の焦点距離：f2=4.8287、第３群の焦点距離：f3=4.8079であるから、
【数１３】
2005300858.tif 000015
ペツバル和：ｐ＝-0.003、後の２面はカバー硝子、D13はバックフォーカスの値。
光学全長：１２．４３ｍｍ（一定）
R(I)           D(I)           Nd         Vd
[1]     45.1186         0.4            1.6935      53.2
[2]      1.2204         0.6257
[3]      1.9546         0.8            1.6727      32.1
[4]      3.428          D4
[5]      絞り           0.2
[6]      1.701          1.1            1.48749     70.1
[7]     -5.0173         0.1
[8]      3.2469         0.4            1.80518     25.4
[9]      1.4810         D9
[10]     2.4773         0.8            1.48749     70.1
[11]   -38.8863         D11
[12]      ∞            0.3            1.51633     64.1
[13]      ∞            D13=1.0
（非球面データ）
第１面  e=1                         第２面  e=1
C2 = 0.0000000D+00                 C2 = 0.00000000D+00
C4 = 0.41734520D-01                C4 = 0.53832066D-02
C6 =-0.91694814D-02                C6 = 0.30548231D-01
C8 =-0.3624085D-02                 C8 =-0.53388248D-01
C10= 0.14026456D-02                C10=-0.62586764D-02
第6面  e=1                          第10面  e=1
C2 = 0.0000000D+00                 C2 = 0.00000000D+00
C4 =-0.28318119D-01                C4 =-0.75276836D-02
C6 =-0.11320841D-02                C6 =-0.56885936D-02
C8 =-0.49693591D-02                C8 = 0.19251069D-02
C10= 0.28220677D-03                C10= 0.12818272D-02
焦点距離            １．６０     ２．７７    ４．８０
可変間隔  D4          4.3839       2.0413      0.6889
D9          0.5625       1.5526      0.5625
D11         1.7627       3.1151      5.4575
【００６５】
次に、実施例９について説明する。図１７は実施例９のレンズの構成と移動軌跡を示す図、図１８は実施例９の無限遠撮影距離での広角端（ａ）から望遠端（ｃ）までの収差図である。
【００６６】
実施例９のズームレンズ９は、実施例８のズームレンズ８と同様に、物体側より順に、負の屈折率を有する第１レンズ群Ｌ１と、正の屈折率を有する第２レンズ群Ｌ２と、そして、正の屈折率を有する第３レンズ群Ｌ３の３群のレンズ群を備えて構成されている。第１レンズ群は、凹レンズＬ１１と凸レンズＬ１２の２枚のレンズを備えて形成されており、移動せず固定とされている。また、凹レンズＬ１１のＲ１面とＲ２面はそれぞれ非球面とされている。
【００６７】
一方、第２レンズ群は、凸レンズＬ２１と凹レンズＬ２２の２枚のレンズを備えて形成されると共に、物体側に単調に移動するようになっている。そして、凸レンズＬ２１のＲ６面が非球面とされている。第２レンズ群Ｌ２の凸レンズＬ２１の前面近傍には絞りＳが配置されている。
さらに、第３レンズ群Ｌ３は、凸レンズＬ３１を備えて構成されており、物体側に単調に移動するようになっている。そして、凸レンズＬ３１のＲ１０面は非球面とされている。
図示されたズームレンズ９は、第２レンズ群Ｌ２と第３レンズ群Ｌ３を移動させることによって変倍が行われる。Ｇはカバー硝子である。
【００６８】
ズームレンズ９は、レンズ材料はガラス３枚プラスチック２枚の５枚玉で、ワイドの画角７１．２°、Ｆナンバー２．９、ＣＣＤへの効像円２．２５ｍｍφ、ズーム比約３倍のズームレンズである。以下に、実施例９のズームレンズの有する各種のデータ・条件を示す。
実施例９
３群タイプ：ズーム比３（移動レンズ群；第２レンズ群、第３レンズ群）
焦点距離：１．６０〜４．７８ｍｍ、Ｆナンバー＝２.９〜４.８、射出瞳位置；−６.０９〜−９.９４（像面より）
第１群の焦点距離：f1=-2.7713、第２群の焦点距離：f2=5.0299、第３群の焦点距離：f3=5.0082であるから、
【数１４】
2005300858.tif 000016
ペツバル和：ｐ＝0.011、後の２面はカバー硝子、D13はバックフォーカスの値。
光学全長：１３．２３ｍｍ(一定)
R(I)           D(I)            Nd         Vd
[1]     24.9243         0.4           1.69350      53.2
[2]      1.2538         0.6031
[3]      1.8476         1.0           1.6727       32.1
[4]      2.8475         D4 
[5]      絞り           0.2
[6]      1.764          1.1           1.49194      56.0
[7]     -2.9415         0.1
[8]      9.6499         0.4           1.80518      25.4
[9]      1.8921         D9
[10]     2.7143         0.8           1.49194      56.0
[11]   -24.0947         D11
[12]      ∞            0.3           1.51633      64.1
[13]      ∞            D13=1.0
（非球面データ）
第１面  e=1                         第２面  e=1
C2 = 0.0000000D+00                 C2 = 0.00000000D+00
C4 = 0.15999194D-01                C4 =-0.14826010D-01
C6 = 0.26442371D-01                C6 = 0.39461204D-01
C8 =-0.16508946D-01                C8 = 0.31281831D-01
C10= 0.26344900D-02                C10=-0.52531631D-01
第6面  e=1                          第10面  e=1
C2 = 0.0000000D+00                 C2 = 0.00000000D+00
C4 =-0.37069338D-01                C4 =-0.11599041D-01
C6 =-0.37211170D-02                C6 =-0.31407615D-02
C8 =-0.58019641D-02                C8 = 0.50688392D-02
C10= 0.21098899D-02                C10=-0.16986768D-02
焦点距離           １．６０       ２．７６     ４．７８
可変間隔 D4         4.7448         2.3048       0.8961
D9         0.6557         1.687        0.6557
D11        1.9293         3.3381       5.7781
【００６９】
尚、ＣＣＤのサイズもその発展によっていろいろな種類の大きさがあるので各実施例における収差図である図２、図４、図６、図８、図１０、図１２、図１４、図１６、図１８の中の非点収差図と歪曲収差図の縦方向のスケールではそのサイズの像高の対角線の長さの半分を記入しないで各種ＣＣＤサイズの大きさが決まるときに対応する半画角表示の角度ωで表している。
【図面の簡単な説明】
【００７０】
【図１】（ａ）（ｂ）（ｃ）は実施例１のレンズの構成と移動軌跡を示す図である。
【図２】実施例１の無限遠撮影距離での広角端（ａ）から望遠端（ｃ）までの収差図である。
【図３】（ａ）（ｂ）（ｃ）は実施例２のレンズの構成と移動軌跡を示す図である。
【図４】実施例２の無限遠撮影距離での広角端（ａ）から望遠端（ｃ）までの収差図である。
【図５】（ａ）（ｂ）（ｃ）は実施例３のレンズの構成と移動軌跡を示す図である。
【図６】実施例３の無限遠撮影距離での広角端（ａ）から望遠端（ｃ）までの収差図である。
【図７】（ａ）（ｂ）（ｃ）は実施例４のレンズの構成と移動軌跡を示す図である。
【図８】実施例４の無限遠撮影距離での広角端（ａ）から望遠端（ｃ）までの収差図である。
【図９】（ａ）（ｂ）（ｃ）は実施例５のレンズの構成と移動軌跡を示す図である。
【図１０】実施例５の無限遠撮影距離での広角端（ａ）から望遠端（ｃ）までの収差図である。
【図１１】（ａ）（ｂ）（ｃ）は実施例６のレンズ構成と移動軌跡を示す図である。
【図１２】実施例６の無限遠撮影距離での広角端（ａ）から望遠端（ｃ）までの収差図である。
【図１３】（ａ）（ｂ）（ｃ）は実施例７のレンズの構成と移動軌跡を示す図である。
【図１４】実施例７の無限遠撮影距離での広角端（ａ）から望遠端（ｃ）までの収差図である。
【図１５】（ａ）（ｂ）（ｃ）は実施例８のレンズの構成と移動軌跡を示す図である。
【図１６】実施例８の無限遠撮影距離での広角端（ａ）から望遠端（ｃ）までの収差図である。
【図１７】（ａ）（ｂ）（ｃ）は実施例９のレンズの構成と移動軌跡を示す図である。
【図１８】実施例９の無限遠撮影距離での広角端（ａ）から望遠端（ｃ）までの収差図である。
【符号の説明】
【００７１】
Ｌ１      第１レンズ群
Ｌ２      第２レンズ群
Ｌ３      第３レンズ群
Ｇ      カバー硝子
ｄ      ｄ線
Ｓ      絞り
【図１】
2005300858.tif 000018
【図２】
2005300858.tif 000019
【図３】
2005300858.tif 000020
【図４】
2005300858.tif 000021
【図５】
2005300858.tif 000022
【図６】
2005300858.tif 000023
【図７】
2005300858.tif 000024
【図８】
2005300858.tif 000025
【図９】
2005300858.tif 000026
【図１０】
2005300858.tif 000027
【図１１】
2005300858.tif 000028
【図１２】
2005300858.tif 000029
【図１３】
2005300858.tif 000030
【図１４】
2005300858.tif 000031
【図１５】
2005300858.tif 000032
【図１６】
2005300858.tif 000033
【図１７】
2005300858.tif 000034
【図１８】
2005300858.tif 000035